(57)【特許請求の範囲】
【請求項１】
外がま口の内部に内がま口が設けられた二重がま口構造を有しており、かつ上記内がま口は、収納部を形成するように互いに対向する可撓性を備えた一対のシート片と、これら一対のシート片のそれぞれに取付けられた口金とを有している財布であって、
上記一対のシート片の一方にポケット用シート片を重ね合わせることにより上部開口状のポケット収納部が設けられており、上記一対のシート片の他方は、上記一方よりも大きく撓むようにこの一方よりも大きなサイズに形成されていることを特徴とする、財布。
【発明の詳細な説明】
【０００１】
【技術分野】
本願発明は、がま口タイプの財布に関する。なお、本願明細書でいうがま口とは、可撓性シート部材によって形成された財布本体部分の開口縁部に一対の口金を取付けた構造の財布を意味する。
【０００２】
【背景技術】
従来、この種の財布としては、がま口（外がま口）の内部に、それよりも小さなサイズのがま口（内がま口）をさらに設けた二重がま口構造のものがある。このような構造の財布では、小銭などを収納するための収納部の数を多くできるため、便利である。また、内がま口については、常時はその開口部が閉じた状態にしておくことができるために、外がま口を開けたときに、内がま口に収容されている小銭や小物類が財布の外へ不用意に散乱しないようにできるといった利点も得られる。
【０００３】
【発明が解決しようとする課題】
しかしながら、従来の二重がま口構造の財布では、次のような不具合を生じていた。
【０００４】
すなわち、近年では、ショッピングなどに際して、クレジットカードやプリペイドカードなどの各種のカードが多用されるに至っている。このようなカードは、財布に収納して携帯できれば便利である。ところが、従来の二重がま口構造の財布は、単に、小銭類を複数の収納部に収納できるにように構成されていたに過ぎず、カードを小銭類と区別して適切に収納することができなかった。したがって、従来では、カードの取り扱いに際して不便を生じていた。
【０００５】
従来、二重がま口構造を有しない他の種類の財布においては、カードを収納するための専用の収納部を設けたものが種々提案されている。そこで、本願発明者は、二重がま口構造の財布においても、そのような財布と同様に、カード用の収納部を設けることを着想した。ところが、二重がま口構造の財布にカード用の収納部を設ける場合、これに起因して財布の製造コストが大幅に上昇しないようにすることが要請される。また、がま口構造の財布は、二重がま口構造の財布に限らず、一般には口金以外のシート部分が柔らかく、このシート部分を大きく撓ませながらこの財布の開口部を大きく開口させることによって、小銭などの取り出しを容易に行うことができる点に大きな特長がある。さらには、財布の開口部を開口させた状態において、財布のシート部分を大きく押し広げたり、あるいはその底部を上方へ押し上げることなどによっても、小銭類の取り出しを容易に行うこともできる。したがって、二重がま口構造の財布にカードを収納させる場合には、そのような利点を損なわないようにする必要もある。
【０００６】
本願発明は、このような事情のもとで考え出されたものであって、二重がま口構造の財布本来の使い勝手を大きく損なうようなことなく、さらにはその製造コストを大幅に上昇させるといった不具合も生じさせないようにして、二重がま口構造の財布の利便性を高めることをその課題としている。
【０００７】
【発明の開示】
上記の課題を解決するため、本願発明では、次の技術的手段を講じている。
【０００８】
本願発明は、外がま口の内部に内がま口が設けられた二重がま口構造を有しており、かつ上記内がま口は、収納部を形成するように互いに対向する可撓性を備えた一対のシート片と、これら一対のシート片のそれぞれに取付けられた口金とを有している財布であって、上記一対のシート片の少なくとも一方には、ポケット用シート片が重ね合わされているとともに、このポケット用シート片の両側縁部が上記口金によって上記シート片に挟み付けられていることにより、上記ポケット用シート片と上記シート片との間に上部開口状のポケット収納部が設けられていることを特徴としている。
【０００９】
本願発明においては、次のような効果が得られる。
【００１０】
第１に、本願発明では、ポケット収納部にクレジットカードなどのカード類を収納することが可能であり、カード類を上記ポケット収納部以外の部分に収納されている小銭類などとは明確に区別した状態で財布内に収納することができる。したがって、カード類を取り扱うのに便利となる。
【００１１】
第２に、本願発明では、内がま口のシート片を利用してポケット収納部を設けた構成であるために、このポケット収納部にカード類を収納したときに、外がま口のシート部分が突っ張らないようにできる。すなわち、仮に、本願発明とは異なり、外がま口のシート部分にポケット収納部を設けたのでは、そのポケット収納部にカード類を収納させたときに外がま口のシート部分が突っ張った状態となり、これではそのシート部分を大きく撓ませて外がま口を大きく開口させることが困難となる虞れがある。さらには、外がま口の内部に収納されている小銭類を取り出すときにこの外がま口のシート部分を大きく押し広げたり、あるいはその底部を押し上げるといったことができなくなる虞れもある。このような事態を生じたのでは、外がま口は内がま口よりも外部に位置し、いわば財布の本体をなす部分であるために、補助的な収納部としての役割を果たす内がま口のシート片が突っ張ってしまう場合とは異なり、がま口構造を有する財布本来の使い勝手の良さが大きく損なわれてしまう。さらには、外がま口を大きく開口させることが困難になると、その内部の内がま口の使い勝手も悪くなってしまう。ところが、本願発明では、そのような不当な事態を適切に防止することができ、がま口構造を有する財布が本来的にもつ使い勝手の良さを損なわないようにできる。
【００１２】
第３に、本願発明では、ポケット用シート片の両側縁部を内がま口のシート片に接合する手段として、これらの部分を内がま口の口金を利用して挟み付けた構造としているために、上記シート片に対するポケット用シート片の接合を強固なものとし、それらが容易に剥離しないようにできる。また、上記口金は、もともとは、シート片の所定箇所を挟み付けるようにしてそのシート片に取付けられるのが一般的であるから、上記ポケット用シート片の両側縁部を上記シート片に接合する作業は、上記シート片に上記口金を取付ける作業工程において同時に行うことができる。したがって、ポケット収納部を製造するための作業工程数が大幅に増加するようなことも無くすことができ、財布の製造コストの上昇を極力防止することができるという効果も得られる。
【００１３】
本願発明の好ましい実施の形態では、上記ポケット収納部は、上記一対のシート片の一方にのみ設けられており、かつ上記一対のシート片の他方は、上記一方よりも大きく撓むように上記一方よりも大きなサイズに形成されている構成とすることができる。
【００１４】
このような構成によれば、内がま口の内部から小銭などを取り出し易くでき、より便利となる。すなわち、内がま口の一対のシート片の一方にポケット収納部を設けた構成にすると、このポケット収納部にカード類を収納したときに、その一方のシート片が突っ張った状態となる。したがって、本来ならば、その一方のシート片を大きく撓ませることができないことに起因して、内がま口を大きく開口させることができなくなったり、あるいは上記一方のシート片を大きく押し広げるようなことができなくなり、内がま口の内部から小銭などを取り出すのに不便を生じる虞れがある。ところが、上記構成によれば、上記一対のシート片の他方は、大きく撓ませることが可能であるために、上記一方のシート片の撓み不足をこの他方のシート片の撓みによって適切に補うことができ、内がま口を大きく開口させたり、あるいは上記他方のシート片を大きく押し広げるなどして、内がま口の内部から小銭などを簡単に取り出すことが可能となるのである。
【００１５】
本願発明のその他の特徴および利点は、次の発明の実施の形態の説明から、より明らかになるであろう。
【００１６】
【発明の実施の形態】
以下、本願発明の好ましい実施の形態について、図面を参照しつつ具体的に説明する。
【００１７】
図１は、本願発明に係る財布の一例を示す斜視図である。図２は、図１のII−II断面図である。図３は、図１のIII −III 断面図である。図４は、図１に示す財布を製造する段階においてシート片に口金が取付けられていない状態を示す斜視図である。図５は、図１に示す財布の使用状態の一例を示す断面図である。
【００１８】
図１において、この財布Ａは、外がま口１、内がま口２、およびカードＣが収納可能なポケット収納部３を具備して構成されている。
【００１９】
上記外がま口１は、既存の一般のがま口と略同様な構成であり、シート部１０と、一対の口金１１ａ，１１ｂとを具備して構成されている。上記シート部１０は、相互に対向する一対のシート片１２ａ，１２ｂどうしを一部縫着することによって、全体が上部開口状の袋状に形成されたものである。上記シート片１２ａ，１２ｂは、可撓性を有しており、その具体的な材質としては、牛皮、馬皮などの皮革類、合成皮革類、布などの種々の材料を用いることが可能であり、その材質はとくに限定されるものではない。図２によく表れているように、上記シート片１２ａ，１２ｂとしては、表皮材１２a'，１２b'と内装材１２a"，１２b"とを重ね合わせたものが適用されている。このような構成によれば、上記表皮材１２a'，１２b'によって財布Ａのデザイン性を高め、あるいは高級感を醸し出すことができるとともに、上記内装材１２a"，１２b"の存在によってシート部１０を丈夫なものにできる。ただし、本願発明では、このような構成に限定されない。
【００２０】
図１によく表れているように、上記一対の口金１１ａ，１１ｂのそれぞれは、正面視または平面視において略コ字状の形態を有しており、上記シート部１０の開口周縁部に取付けられている。より具体的には、上記一対の口金１１ａ，１１ｂの長手方向の各所は、図２によく表れているように、断面略Ｕ字状の溝型形状を有しており、この溝型形状部分が上記シート片１２ａ，１２ｂの互いに縫着されていない端縁部分を挟み付けるようにかしめられている。図示説明は省略するが、上記口金１１ａ，１１ｂの溝型形状部分をかしめる場合に、その溝型形状部分の内部に予め紐状部材などの適当な厚みをもった可撓性部材を挿入しておき、この可撓性部材と一緒にシート片１２ａ，１２ｂの所定箇所をその両面側から挟み付けるようにすれば、上記溝型形状部分をさほど薄肉偏平状態にかしめなくてもシート片１２ａ，１２ｂに対する口金１１ａ，１１ｂの取付けを確実なものにでき、好ましい。これは、後述する内がま口２の口金２１ａ，２１ｂをかしめる場合についても同様である。上記一対の口金１１ａ，１１ｂは、それらの基端部が２本の軸４，４を介して互いに連結されていることによって、上記軸４，４を中心として矢印Ｎ１方向に回動可能である。このため、上記外がま口１の開口部１４は開閉自在である。上記一対の口金１１ａ，１１ｂには、これらの口金１１ａ，１１ｂを閉じ合わせたときにその閉じ合わせ状態を維持しておくための互いに係合可能な一対の係合用突起１５ａ，１５ｂが設けられている。
【００２１】
上記内がま口２は、その全体のサイズが上記外がま口１よりも小さく形成されたものであり、上記外がま口１の内部に設けられている。したがって、上記外がま口１の内部には、上記内がま口２の両側方に位置する２つの収納部１６ａ，１６ｂが形成されている。上記内がま口２は、シート部２０と一対の口金２１ａ，２１ｂとを具備して構成されている。上記シート部２０は、互いに対向する一対のシート片２２ａ，２２ｂどうしを一部縫着するとともに、それら一対のシート片２２ａ，２２ｂの下部を上記外がま口１の内装材１２a"，１２b"の一側縁に縫着した構成を有しており、上記一対のシート片２２ａ，２２ｂの間に収納部２５を形成した上部開口状の袋状である。
【００２２】
図４によく表れているように、上記シート片２２ａは、適当な横幅Ｓａを有する正面視略矩形状に形成されている。これに対し、上記シート片２２ｂは、その先端縁部２２b'については上記横幅Ｓａと略同一幅に形成されているものの、その両側縁部２２b"，２２b"は上記先端縁部２２b'よりも適当な寸法Ｓｂだけ幅方向外方に向けて突出しており、その最大の横幅Ｓｃが上記シート片２２ａの横幅Ｓａよりも大きくなるように形成されている。上記一対のシート片２２ａ，２２ｂの高さ方向の幅は略同一寸法である。
【００２３】
上記シート片２２ａ，２２ｂは、いずれも可撓性を有しており、その具体的な材料としては、たとえば上記内装材１２a"，１２b"と同材質、またはそれに近い材質のものが用いられている。ただし、本実施形態では、上記シート片２２ｂはシート片２２ａよりも軟質とされている。上記シート片２２ｂをシート片２２ａよりも軟質にする手段としては、たとえばこれら一対のシート片２２ａ，２２ｂを基本的には同一の材質で形成した上で、一方のシート片２２ａには綿布などの他の布地を重ね合わせたり、縫い込んだりする手段を用いることができる。むろん、このような手段に代えて、上記シート片２２ｂの材質をシート片２２ａよりも軟質とする手段、あるいは上記一対のシート片２２ａ，２２ｂの材質を同一にしつつ、シート片２２ｂの方がシート片２２ａよりも厚みが小さいものとする手段などを適用することもできる。
【００２４】
図１において、上記一対の口金２１ａ，２１ｂは、基本的には、上記外がま口１の口金１１ａ，１１ｂと略同様な構成のものである。これら一対の口金２１ａ，２１ｂは、上記収納部２５の開口周縁部となる上記シート片２２ａ，２２ｂの先端縁部２２a'，２２b'の全長域と両側縁部２２a"，２２a"，２２b"，２２b"のそれぞれの上部領域とにわたって取付けられている。上記一対の口金２１ａ，２１ｂの長手方向の各所も、断面略Ｕ字状の溝型形状を有しており、この溝型形状部分が上記一対のシート片２２ａ，２２ｂの所定位置を挟み付けるようにかしめられている。上記口金２１ａ，２１ｂのそれぞれのサイズは互いに同一または略同一である。これに対し、上記シート片２２ｂは、図４において説明したとおり、シート片２２ａよりも横幅が広いサイズに形成されている。したがって、上記一対の口金２１ａ，２１ｂに支持された一対のシート片２２ａ，２２ｂは、一方のシート片２２ａよりも他方のシート片２２ｂの方が余裕代が大きく、より大きく撓ませることができるようになっている。
【００２５】
上記一対の口金２１ａ，２１ｂは、それらの基端部が上記２本の軸４，４を介して互いに連結されていることによって上記軸４，４を中心として矢印Ｎ２方向に回動可能である。このため、上記収納部２５の開口部２４は開閉自在である。上記口金２１ａ，２１ｂは、上記軸４，４を介して外がま口１の口金１１ａ，１１ｂと連結されており、これにより外がま口１の内部における内がま口２の位置決めが図られている。上記一対の口金２１ａ，２１ｂにも、一対の係合用突起２６ａ，２６ｂが設けられており、これら一対の口金２１ａ，２１ｂを閉じ合わせたときにその閉じ合わせ状態を維持できるように構成されている。
【００２６】
上記ポケット収納部３は、上記内がま口２のシート片２２ａの外面とこの外面に重ね合わされたポケット用シート片３０との間に形成された上部開口状の収納部である。上記ポケット用シート片３０は、たとえば上記シート片２２ａと略同様な横幅であるとともに、上記シート片２２ａよりも縦幅が小さな正面視矩形状を有しており、可撓性部材からなる。このポケット用シート片３０の具体的な材料としては、たとえば上記シート片２２ａと同一のものが適用されている。もちろん、本願発明では、上記ポケット用シート片３０をシート片２２ａとは異なる材質としてもかまわない。
【００２７】
上記ポケット用シート片３０の両側縁部３０ａ，３０ａの上部は、図３によく表れているように、上記口金２１ａの断面略Ｕ字状の溝型形状部分によって上記シート片２２ａの側縁部２２a"，２２a"に挟み付けられている。図１において、上記両側縁部３０ａ，３０ａのうち、上記口金２１ａによってシート片２２ａに挟み付けられた部分よりも下方の部分は、たとえば両面テープや接着剤（図示略）を介して上記シート片２２ａと接着されている。むろん、本願発明では、上記口金２１ａによって挟み付けられている部分についても、両面テープや接着剤を用いて予備的に接着していてもかまわない。さらに、両面接着テープや接着剤を用いる手段に代えて、縫い糸を用いて縫着する手段を適用することもできる。上記ポケット用シート片３０の下部は、図２によく表れているように、上記一対のシート片２２ａ，２２ｂの下部に重ね合わされて外がま口１の内装材１２a"，１２b"の一側縁に縫着され、閉塞状態とされている。
【００２８】
上記ポケット収納部３は、たとえば横８５ｍｍ×縦５４ｍｍ程度の一般のクレジットカードのサイズであるカードＣを収納可能なサイズに形成されている。ただし、上記ポケット収納部３は、上記カードＣの全体を収納し得る深さには形成されていない。上記ポケット収納部３は、たとえば図２に示すように、上記カードＣをこのポケット収納部３の底部まで突っ込んだ場合には、上記カードＣの上部が１０ｍｍ〜１２ｍｍ程度だけこのポケット収納部３よりも上方へ突出する深さに形成されている。
【００２９】
次に、上記財布Ａの使用例ならびに作用について説明する。
【００３０】
まず、上記財布Ａでは、外がま口１内の２つの収納部１６ａ，１６ｂや内がま口２の収納部２５に小銭やその他の小物類を分別して収納できるのに加え、ポケット収納部３にはカードＣを収納することもできる。したがって、小銭やその他の小物類とカードＣとを適切に区分したかたちで一纏めにして収納することができ、便利となる。
【００３１】
上記ポケット収納部３にカードＣを収納したときには、ポケット用シート片３０やシート片２２ａがカードＣの存在によって突っ張ってしまう。このようにシート片２２ａが突っ張ってしまうと、内がま口２の開口部２４を開口させるときに、上記シート片２２ａを大きく折り曲げた状態に撓ませることができず、本来ならば、上記開口部２４を大きく開口させることが困難となる。ところが、上記財布Ａでは、内がま口２の他方のシート片２２ｂが、上記シート片２２ａよりも大きく撓むように形成されているために、このシート片２２ｂを大きく撓ませることによって、上記開口部２４を大きく開口させることができる。また、上記シート片２２ｂを大きく押し広げたり、押し上げたりすることもできる。したがって、収納部２５内の小銭類を簡単に取り出すことが可能となり、カードＣを収納することに起因して内がま口２の収納部２５から小銭類を取り出すことが困難となるような不具合はない。
【００３２】
とくに、本実施形態では、上記シート片２２ｂをシート片２２ａよりも軟質にしているために、上記シート片２２ｂをより簡単に大きく撓ませることができ、その使い勝手を一層良好にできる利点が得られる。また、上記シート片２２ａについては、適度に腰がある状態にできるために、ポケット収納部３に収納されたカードＣの起立保持も適切に行えることとなる。むろん、上記財布Ａは、外がま口１のシート片１２ａ，１２ｂにポケット収納部を設けた構成ではないために、それらシート片１２ａ，１２ｂがカードＣの存在によって突っ張ってしまうようなこともない。したがって、外がま口１の２つの収納部１６ａ，１６ｂに収納されている小銭類を取り出すときにも、この外がま口１の開口部を大きく開口させてから、上記シート片１２ａ，１２ｂを大きく押し広げたり、あるいは上方へ持ち上げるなどして、小銭類の取り出しを簡単に行うことができるのである。
【００３３】
上記財布Ａでは、ポケット収納部３からカードＣを取り出す作業は、たとえば図５に示すようにして行うこともできる。すなわち、まず外がま口１を開けた状態において、そのシート部１０の底部を手で上方へ押圧する。すると、このシート部１０を介してカードＣの下端縁が上方へ押圧され、このカードＣがポケット収納部３の上方へ大きく突出することとなる。このようにすれば、このカードＣの上部を簡単に摘まむことができる。カードＣの全体がポケット収納部３内の奥深い位置に収納されている場合には、シート部１０の底部を上方へ押圧してもそのカードＣをスムーズに上昇させることは難しいが、上記財布Ａでは、カードＣの上部が１０ｍｍ〜１２ｍｍ程度だけ突出した状態にポケット収納部３に収納しておくことができるために、上記のような手順でカードＣをポケット収納部３の上方へスムーズに押し上げることができ、カードＣの取り出しが簡単に行えるのである。
【００３４】
上記財布Ａは、既存の二重がま口構造の財布と比較すると、その構成部材として、ポケット用シート片３０が余分に必要である。ところが、このポケット用シート片３０の両側縁部３０ａ，３０ａの上部は、口金２１ａを利用してシート片２２ａに接合されている。その一方、上記口金２１ａは、もともとシート片２２ａに取付けられるものである。したがって、上記シート片２２ａに対して上記両側縁部３０ａ，３０ａの上部を接合するための作業は、口金２１ａをシート片２２ａに取付ける作業工程において同時に行えることとなる。また、上記ポケット用シート片３０の下部は、外がま口１の内装材１２a"，１２b"に縫着されているが、その逢着作業は、シート片２２ａ，２２ｂを上記内装材１２a"，１２b"に縫着する作業工程において同時に行うことができる。したがって、上記財布Ａを製造するための工程としては、既存の二重がま口構造の財布を製造する場合と比較すると、実質的には、ポケット用シート片３０の両側縁部３０ａ，３０ａの一部を両面テープまたは接着剤を用いてシート片２２ａに接着する工程が新たに追加されているに過ぎない。したがって、上記財布Ａの製造コストが高価になることも極力防止することができる。
【００３５】
上記ポケット収納部３は、そのポケット用シート片３０の両側縁部３０ａ，３０ａの上部に対して最も大きな力が作用し易い構造となっている。ところが、上記両側縁部３０ａ，３０ａの上部は金属製の口金２１ａをかしめることによってシート片２２ａに接合されているために、その接合を確実かつ強固なものにすることができる。したがって、上記両側縁部３０ａ，３０ｂがシート片２２ａから容易に剥離するようなことも防止できる。上記両側縁部３０ａ，３０ａの下部は、両面テープまたは接着剤によってシート片２２ａに接着されているが、この部分にはさほど大きな力は作用し難く、またポケット用シート片３０に作用する力の大半を上記口金２１ａをかしめた部分によって受けることができるために、この部分が容易に剥離するようなことはない。
【００３６】
なお、本願発明に係る財布の具体的な構成は、決して上記実施形態に限定されない。
【００３７】
上記実施形態では、内がま口２の一対のシート片２２ａ，２２ｂの一方側にのみポケット収納部３を設けているが、本願発明はこれに限定されない。本願発明では、一対のシート片２２ａ，２２ｂのそれぞれにポケット収納部を設けるようにしてもかまわない。ただし、その場合にはシート片２２ａ，２２ｂのそれぞれがカードの存在によって突っ張ってしまう現象を生じ、内がま口２の内部から小銭などを取り出し難くなる虞れがある。したがって、実際上は、ポケット収納部を一対のシート片のいずれか一方のみに設けることが好ましい。
【００３８】
また、上記実施形態では、内がま口２のシート片２２ｂをシート片２２ａよりも横幅が大きいサイズとすることによって、上記シート片２２ｂを大きく撓ませることができるようにしたが、やはり本発明はこれに限定されない。本願発明では、たとえばシート片２２ａ，２２ｂの横幅は略同一寸法にしつつ、シート片２２ｂの縦幅をシート片２２ａの縦幅よりも大きくすることによって、上記シート片２２ｂを大きく撓ませることができるようにしてもかまわない。むろん、縦幅と横幅との双方を大きくしてもかまわない。
【００３９】
その他、本願発明に係る財布の各部の具体的な構成は、種々に設計変更自在である。本願発明は、たとえば複数枚のポケット用シート片を内がま口のシート片に重ね合わせることによって、１つのシート片の側方に複数のポケット収納部を並べて設けた構成としてもかまわない。また、内がま口の一対のシート片は、必ずしも互いに別体に形成されたシート部材によって構成されている必要もなく、たとえば１枚のシート部材を折り返すなどして同一部材によって構成されていてもかまわない。同様に、ポケット収納部を構成する内がま口のシート片とこれに重なり合うポケット用シート片とが、同一部材によって構成されていてもかまわない。
【図面の簡単な説明】
【図１】本願発明に係る財布の一例を示す斜視図である。
【図２】図１のII−II断面図である。
【図３】図１のIII −III 断面図である。
【図４】図１に示す財布を製造する段階においてシート片に口金が取付けられていない状態を示す斜視図である。
【図５】図１に示す財布の使用状態の一例を示す断面図である。
【符号の説明】
Ａ  財布
Ｃ  カード
１  外がま口
２  内がま口
３  ポケット収納部
２１ａ，２１ｂ  口金（内がま口の）
２２ａ，２２ｂ  シート片（内がま口の）
２５  収納部（内がま口の）
３０  ポケット用シート片
３０ａ  側縁部（ポケット用シート片の）
【図１】
0004130257.tif 000002
【図２】
0004130257.tif 000003
【図３】
0004130257.tif 000004
【図４】
0004130257.tif 000005
【図５】
0004130257.tif 000006